(57)【要約】  ユーザインターフェースは、無線通信の携帯電話ネットワークおよびワイヤレス送受信装置（ＷＴＲＵ）を介して、制御通信を確立するために使用される。制御情報を、ユーザ機能の制御を提供するために使用し、ＷＴＲＵに関する位置情報などの追加データを、ユーザインターフェースに提供するために使用することができる。
2007513576.tif 000002
【特許請求の範囲】
【請求項１】
ワイヤレス送受信装置（ＷＴＲＵ）を制御する方法であって、
無線通信ネットワーク接続を介して、前記ＷＴＲＵを制御する通信プロトコルを確立すること、
前記ＷＴＲＵとは離れたところにある制御位置で、ユーザ制御インターフェースを提供すること、
マルチユーザネットワーク上で、無線通信ネットワーク接続を確立すること、
前記無線通信ネットワーク接続を介して、前記ＷＴＲＵと前記制御位置との間の制御通信を提供すること
を備えたことを特徴とする方法。
【請求項２】
前記制御通信は、前記ユーザ制御インターフェースに遠隔から提供される、前記ＷＴＲＵの地理的な位置を含むことを特徴とする請求項１に記載の方法。
【請求項３】
前記ＷＴＲＵから信号を受信する位置決め受信機を使用することによって、追加の地理上の位置情報を、前記ユーザ制御インターフェースに提供することをさらに備えたことを特徴とする請求項２に記載の方法。
【請求項４】
前記ＷＴＲＵの前記地理上の位置を使用し、前記ユーザ制御インターフェースを介して、位置の変更通知を提供することをさらに備えたことを特徴とする請求項２に記載の方法。
【請求項５】
前記制御通信は、前記ＷＴＲＵのユーザ制御機能を介して、前記ＷＴＲＵに遠隔から提供される、前記ＷＴＲＵのユーザインターフェース制御を含むことを特徴とする請求項１に記載の方法。
【請求項６】
前記制御通信は、前記ＷＴＲＵのユーザ制御機能に基づくアクセス制御情報を含むことを特徴とする請求項１に記載の方法。
【請求項７】
前記制御通信は、前記ＷＴＲＵのユーザインターフェース制御、および前記制御機能の前記ＷＴＲＵによるＡＣＫを含むことを特徴とする請求項１に記載の方法。
【請求項８】
ネットワーク上の位置に関する情報を取得すること、
前記ネットワーク上の位置に関する情報と、前記ＷＴＲＵと前記ＷＴＲＵとは離れたところにある前記制御位置との間の前記制御通信を結びつけること
をさらに備えたことを特徴とする請求項１に記載の方法。
【請求項９】
前記ユーザインターフェースは、前記制御通信を使用し、前記ＷＴＲＵの移動をおおまかに探知することを特徴とする請求項１に記載の方法。
【請求項１０】
前記ユーザインターフェースは、前記ＷＴＲＵが指定された領域から移動する場合、前記制御通信を使用し、警告を提供することを特徴とする請求項１に記載の方法。
【請求項１１】
前記ユーザインターフェースは、定期的なメッセージが前記ＷＴＲＵから受信されない場合、前記制御通信を使用し、警告を提供することを特徴とする請求項１に記載の方法。
【請求項１２】
前記ユーザインターフェースは、前記制御通信を使用し、パラメータを設定するメッセージを送信し、または前記ＷＴＲＵ上で処理することを特徴とする請求項１に記載の方法。
【請求項１３】
前記ＷＴＲＵは、前記ＷＴＲＵを運ぶ項目を探知し、または位置づける機能を提供することを特徴とする請求項１に記載の方法。
【請求項１４】
前記ＷＴＲＵは、前記ＷＴＲＵを運ぶ項目を探知し、または位置づける機能を提供し、
前記ＷＴＲＵは、前記ＷＴＲＵの限定された機能を提供するが、トラッキング機能を可能にするため、拡張された節電モードを実行することを特徴とする請求項１に記載の方法。
【請求項１５】
前記ＷＴＲＵは、前記ＷＴＲＵの限定された機能を提供するが、トラッキング機能を可能にするため、拡張された節電モードを実行し、
前記ＷＴＲＵは、電源が入り、
前記ＷＴＲＵは、前記無線通信ネットワーク接続を確立することによって、前記ネットワークとつながり、
前記ＷＴＲＵは、着信メッセージを確認し、
前記ＷＴＲＵは、前記メッセージによって指示される処理を実行する
ことを特徴とする請求項１に記載の方法。
【請求項１６】
前記ＷＴＲＵは、前記ＷＴＲＵの限定された機能を提供するが、トラッキング機能を可能にするため、拡張された節電モードを実行し、
前記ＷＴＲＵは、電源が入り、
前記ＷＴＲＵは、前記無線通信ネットワーク接続を確立することによって、前記ネットワークとつながり、
前記ＷＴＲＵは、着信メッセージを確認し、
前記ＷＴＲＵは、前記メッセージによって指示される処理を実行し、
前記ＷＴＲＵは、位置情報を抽出し、測定を行い、メッセージを前記ユーザインターフェースに送信する
ことを特徴とする請求項１に記載の方法。
【請求項１７】
外部制御を受信することができるワイヤレス送受信装置（ＷＴＲＵ）であって、
マルチユーザネットワーク上で無線通信ネットワーク接続を受け入れる回路と、
前記ＷＴＲＵへの無線通信ネットワーク接続を使用する前記無線通信ネットワーク接続を介して、前記ＷＴＲＵを制御する通信回線を受け入れる回路と、
前記無線通信ネットワーク接続を介して、前記ＷＴＲＵと前記制御位置との間の制御通信を提供する回路であって、ユーザが前記ＷＴＲＵとは離れたところにある制御位置でユーザ制御インターフェースを使用し、前記ＷＴＲＵと通信することができる回路と
を備えたことを特徴とするＷＴＲＵ。
【請求項１８】
前記制御通信は、前記ユーザ制御インターフェースに遠隔から提供される、前記ＷＴＲＵの地理上の位置を含むことを特徴とする請求項１７に記載のＷＴＲＵ。
【請求項１９】
前記制御通信は、前記ＷＴＲＵのユーザ制御機能を介して、前記ＷＴＲＵに遠隔から提供される、前記ＷＴＲＵのユーザインターフェース制御を含むことを特徴とする請求項１７に記載のＷＴＲＵ。
【請求項２０】
前記制御通信は、前記ＷＴＲＵのユーザ制御機能に基づくアクセス制御情報を含むことを特徴とする請求項１７に記載のＷＴＲＵ。
【請求項２１】
前記ユーザインターフェースは、前記制御通信を使用し、前記ＷＴＲＵの移動をおおまかに探知することを特徴とする請求項１７に記載のＷＴＲＵ。
【請求項２２】
前記ユーザインターフェースは、前記制御通信を使用し、前記パラメータを設定するメッセージを送信し、または前記ＷＴＲＵ上で処理することを特徴とする請求項１７に記載のＷＴＲＵ。
【請求項２３】
前記ＷＴＲＵは、前記ＷＴＲＵを運ぶ項目を探知し、または位置づける機能を提供し、
前記ＷＴＲＵは、前記ＷＴＲＵの限定された機能を提供するが、トラッキング機能を可能にするため、拡張された節電モードを実行することを特徴とする請求項１７に記載のＷＴＲＵ。
【請求項２４】
前記ＷＴＲＵは、前記ＷＴＲＵの限定された機能を提供するが、トラッキング機能を可能にするため、拡張された節電モードを実行し、
前記ＷＴＲＵは、電源が入り、
前記ＷＴＲＵは、前記無線通信ネットワーク接続を確立することによって、前記ネットワークとつながり、
前記ＷＴＲＵは、着信メッセージを確認し、
前記ＷＴＲＵは、前記メッセージによって指示される処理を実行する
ことを特徴とする請求項１７に記載のＷＴＲＵ。
【請求項２５】
前記ＷＴＲＵは、前記ＷＴＲＵの限定された機能を提供するが、トラッキング機能を可能にするため、拡張された節電モードを実行し、
前記ＷＴＲＵは、電源が入り、
前記ＷＴＲＵは、前記無線通信ネットワーク接続を確立することによって、前記ネットワークとつながり、
前記ＷＴＲＵは、着信メッセージを確認し、
前記ＷＴＲＵは、前記メッセージによって指示される処理を実行し、
前記ＷＴＲＵは、位置情報を抽出し、測定を行い、メッセージを前記ユーザインターフェースに送信する
ことを特徴とする請求項１７に記載のＷＴＲＵ。
【請求項２６】
無線通信ネットワークを使用することによって、従属する物や人を探知する方法であって、
ワイヤレス送受信装置（ＷＴＲＵ）を、探知された物として提供すること、
無線通信ネットワーク接続を介して、前記ＷＴＲＵを制御する通信プロトコルを確立すること、
マルチユーザネットワーク上で前記無線通信ネットワーク接続を確立すること、
前記無線通信ネットワーク接続を介して、前記ＷＴＲＵと探知端末との間の通信を提供すること、
前記ＷＴＲＵと前記探知端末との間の前記通信を介して、前記ＷＴＲＵの状態に関する情報を、前記探知端末に提供すること
を備えたことを特徴とする方法。
【請求項２７】
前記探知端末に通信された前記状態は、前記ＷＴＲＵの地理上の位置を含むことを特徴とする請求項２６に記載の方法。
【請求項２８】
前記ＷＴＲＵから信号を受信する位置決め受信機を使用することによって、追加の地理上の位置情報を、前記ユーザ制御インターフェースに提供することをさらに備えたことを特徴とする請求項２７に記載の方法。
【請求項２９】
前記ＷＴＲＵの前記地理上の位置を使用し、位置の変更通知を提供することをさらに備えたことを特徴とする請求項２７に記載の方法。
【請求項３０】
前記ＷＴＲＵと前記探知端末との間の前記通信は、前記ＷＴＲＵのユーザ制御機能を介して、前記ＷＴＲＵに遠隔から提供される、前記ＷＴＲＵのユーザインターフェース制御を含むことを特徴とする請求項２６に記載の方法。
【請求項３１】
前記ＷＴＲＵと前記探知端末との間の前記通信は、前記ＷＴＲＵのユーザ制御機能に基づくアクセス制御情報を含むことを特徴とする請求項２６に記載の方法。
【請求項３２】
前記探知端末は、前記ＷＴＲＵが指定された領域から移動する場合、前記ＷＴＲＵと前記探知端末との間の前記通信を使用し、警告を提供することを特徴とする請求項２６に記載の方法。
【請求項３３】
前記探知端末は、定期的なメッセージが前記ＷＴＲＵから受信されない場合、前記ＷＴＲＵと前記探知端末との間の前記通信を使用し、警告を提供することを特徴とする請求項２６に記載の方法。
【請求項３４】
前記探知端末は、前記ＷＴＲＵと前記探知端末との間の前記通信を使用し、前記パラメータを設定するメッセージを送信し、または前記ＷＴＲＵ上で処理することを特徴とする請求項２６に記載の方法。
【請求項３５】
前記ＷＴＲＵは、前記ＷＴＲＵを運ぶ項目を探知し、または位置づける機能を提供し、
前記ＷＴＲＵは、前記ＷＴＲＵの限定された機能を提供するが、トラッキング機能を可能にするため、拡張された節電モードを実行することを特徴とする請求項２６に記載の方法。
【請求項３６】
前記ＷＴＲＵは、前記ＷＴＲＵの限定された機能を提供するが、トラッキング機能を可能にするため、拡張された節電モードを実行し、
前記ＷＴＲＵは、電源が入り、
前記ＷＴＲＵは、前記無線通信ネットワーク接続を確立することによって、前記ネットワークとつながり、
前記ＷＴＲＵは、着信メッセージを確認し、
前記ＷＴＲＵは、前記メッセージによって指示される処理を実行する
ことを特徴とする請求項２６に記載の方法。
【請求項３７】
前記ＷＴＲＵは、前記ＷＴＲＵの限定された機能を提供するが、トラッキング機能を可能にするため、拡張された節電モードを実行し、
前記ＷＴＲＵは、電源が入り、
前記ＷＴＲＵは、前記無線通信ネットワーク接続を確立することによって、前記ネットワークとつながり、
前記ＷＴＲＵは、着信メッセージを確認し、
前記ＷＴＲＵは、前記メッセージによって指示される処理を実行し、
前記ＷＴＲＵは、位置情報を抽出し、測定を行い、メッセージを前記探知端末に送信する
ことを特徴とする請求項２６に記載の方法。
【請求項３８】
ワイヤレス送受信装置（ＷＴＲＵ）において使用される半導体集積回路（ＩＣ）チップであって、
マルチユーザネットワーク上で無線通信ネットワーク接続を受け入れる回路と、
前記ＷＴＲＵへの無線通信ネットワーク接続を使用する前記無線通信ネットワーク接続を介して、前記ＷＴＲＵを制御するから通信回線を受け入れる回路と、
プログラム命令に応答して、前記ＷＴＲＵの前記無線通信ネットワーク接続を介して、前記ＷＴＲＵと前記制御位置との間の制御通信を提供する回路であって、ユーザが前記ＷＴＲＵとは離れたところにある制御位置でユーザ制御インターフェースを使用し、前記ＷＴＲＵと通信することができることにより、前記ＷＴＲＵの外部制御を提供する回路と
を備えたことを特徴とするＩＣ。
【請求項３９】
前記プログラム命令は、前記ＷＴＲＵに埋め込まれたソフトウェアとして提供されるプログラム命令を含むことを特徴とする請求項３８に記載のＩＣ。
【請求項４０】
前記ユーザインターフェースは、前記制御通信を使用し、前記ＷＴＲＵの前記移動をおおまかに探知することを特徴とする請求項３８に記載のＩＣ。
【請求項４１】
前記ＩＣは、前記ＷＴＲＵを運ぶ項目を探知し、または位置づける機能を提供し、
前記ＩＣは、前記ＷＴＲＵの限定された機能を提供するが、トラッキング機能を可能にするため、拡張された節電モードを実行することを特徴とする請求項３８に記載のＩＣ。
【発明の詳細な説明】
【技術分野】
【０００１】
本発明は、無線通信ネットワークの通信に関する。より詳細には、本発明は、端末を使用することによって、機器に接続されたネットワークの制御を対象にする。
【背景技術】
【０００２】
ワイヤレス送受信装置（ＷＴＲＵ）の位置情報は、さまざまなネットワークプロトコルを使用することによって利用できる。また、ＧＰＳ受信機など地球上の位置を把握する機器が、ＷＴＲＵに提供されることもある。そのような情報は、ネットワークに利用でき、または、場合によっては、ＷＴＲＵのユーザにも利用できる。ＷＴＲＵの使用を遠隔制御し、位置の遠隔表示を他のユーザに提供することは望まれる。
【発明の開示】
【発明が解決しようとする課題】
【０００３】
特定の制御、および特定のＷＴＲＵと通信する位置機能が、上記の無線インターフェースプロトコルスタックを実装することによって、またはプロトコルスタックから抽出される最低限の情報で得られるならば望ましいだろう。
【課題を解決するための手段】
【０００４】
本発明によれば、ユーザ制御インターフェースは、ＷＴＲＵとは離れたユーザの所在地で提供される。無線通信ネットワーク接続が確立される場合、制御通信は、無線通信ネットワーク接続を介して、ＷＴＲＵとユーザの所在地との間で提供される。ある機器構成において、制御通信は、ＷＴＲＵの地理上の位置を含む。ＷＴＲＵの地理上の位置は、ユーザ制御インターフェースによって遠隔から提供される。他の機器構成において、制御通信は、ユーザインターフェース制御を含む。ユーザインターフェースは、ＷＴＲＵのユーザ制御機能を遠隔実行することによって、ＷＴＲＵに遠隔から提供されるＷＴＲＵの制御を提供する。
【発明を実施するための最良の形態】
【０００５】
本発明は、携帯電話、ワイヤレスワイドエリアメトロポリンタンネットワーク、および無線ＬＡＮなどの無線通信において役立つ。そのようなシステムは、基地局（ＢＳ）およびワイヤレス送受信装置（ＷＴＲＵ）を使用する。ＷＴＲＵは、ユーザ装置、移動局、固定式または移動式の加入者装置、ポケベル、または無線通信環境で動作可能な他の種類の機器に限定されるというわけではないが、含む。「基地局」は、ノードＢ、サイトコントローラ、アクセスポイント、または無線通信環境における他のインターフェース機器に限定されるというわけではないが、含む。
【０００６】
本発明の特徴を、端末上の一又は複数のアプリケーションとして実装することができ、少なくとも一つの端（end）は、携帯電話の電気通信ネットワークなどの共有された無線通信ネットワークに接続された無線通信端末である。もう一つの端の端末は、他のＷＴＲＵ、相性の良いアプリケーションソフトウェア付属のＰＣ、または特別の目的の機器であることが可能である。ユーザインターフェースの機能のいくつかは、ユーザインターフェースとは離れたところにあるフィジカルデバイス上に存在しうるということは理解されるけれども、端末はユーザインターフェースを含む。しかし、直接制御機能のいくつかは、ネットワークプロトコルに含まれているもの（inclusion）から恩恵を受けており、要求された信号伝達の多くは、無線通信ネットワーク上で使用される標準規格の下で提供される、既存のショートメッセージングプロトコルや他のアプリケーションで実行できる。その標準規格の下で提供されるアプリケーションを使用する例は、ＧＰＲＳまたは３Ｇプロトコルによって使用可能なＳＭＳおよびＩＰアプリケーションを含む。
【０００７】
本発明の一態様によれば、ＷＴＲＵは、所定のＷＴＲＵのために設けられている情報通信を提供する。本発明のある特定の態様においては、ＷＴＲＵは遠隔制御される。遠隔サイトのＷＴＲＵ上のアプリケーションは、サービスコストの制御、端末が紛失した場合の負担の制限、または選択可能なサービスの制限を目的として、無線通信ネットワークへのユーザアクセスを制限する。このように、ＷＴＲＵを、その使用に関して、遠隔制御することができる。一例として、アプリケーションソフトウェアは、以下のことを実装することができる。  
ａ）ある電話番号または少数の電話番号への電話を制限すること
ｂ）総時間数を制限すること
ｃ）特定の市外局番または他の識別可能な地理上の地域への電話を制限すること
ｄ）家庭用端末機（home terminal）が、メッセージを遠隔にあるＷＴＲＵに送信し、遠隔にあるＷＴＲＵを完全に無効にすること、または上述された項目のいくつか、または他の機能を有効にすること／無効にすること／設定すること
【０００８】
一具体例において、電話機の所有者は、幼い子供が携帯電話にアクセスするが、限定されたパラメータを超えて携帯電話を使うことはさせたくないかもしれない。こういったことは、携帯電話の電話帳の制限によって達成することができるが、決まった制御によって提供されるよりも、限定された使用の中でもっと柔軟にさせておくことが望ましい。例えば、旅行中などに制限を変えることも望まれるだろう。例えば、電話機の所有者は、携帯電話を、非常用、およびある場所での電話機の所有者への電話用のためだけに使用させることを可能にしたいが、しかし、他の場所または別の時間帯で携帯電話をもっと使用させることも可能である。通常、こういったことは、ＷＴＲＵのユーザによって達成できるが、しかし、電話機の所有者による直接の制御が好都合な状況がある。同様に、例えば、ＷＴＲＵを置き忘れた場合、ＷＴＲＵの所有者は、ＷＴＲＵを遠隔から動かなくさせ、無断使用できないようにすることが可能である。
【０００９】
ほとんどのＷＴＲＵを、様々な機能についてプログラムすることが可能である。基礎水準において、このことは、ＩＤ（identity）をＷＴＲＵに割り当てること、および基本的なユーザインターフェース機能を含む。加えて、送受信パラメータ、およびＳＩＭデータ、所望のローミングリスト（ＰＲＬ）、またはそれらと同等のものは、通常、ネットワークを介して提供される。通常、これらの機能は、ネットワーク管理者によって提供される。ほとんどのユーザ機能の制御は、ＷＴＲＵのユーザによって直接、または、場合によっては、ハードウェアに組み込まれた、ＷＴＲＵとのデータ接続を介して達成される。
【００１０】
無線通信ネットワークの一般的な特徴は、無線通信ネットワークが、通常、接続される基地局の情報、および基地局の近くの情報をＷＴＲＵに与えることにある。この情報は、通常、ＷＴＲＵに信号で伝えられ、位置領域ＩＤ、ネットワークＩＤ、基地局ＩＤ、近隣リスト（neighbor list）、放送チャネルパラメータ、およびＷＴＲＵの位置を識別するのに役立つ他のネットワーク機能として、プロトコルスタックに位置づけられる。また、ＷＴＲＵが、ハンドオーバ、セル選択、またはセル再選択の際に支援するために実行する測定値（measurement）により、近辺の大まかな表示が基地局に提供されることが可能となる。ＷＴＲＵが、プロトコルスタックのソフトウェアへアクセスする場合、この情報を抽出し、メッセージに要約し、他の端末に送信することができる。ＷＴＲＵまたは遠隔端末は、処理を実行し、大まかに位置を予測することができる。
【００１１】
無線通信ネットワークが、位置情報サービス（location service）を提供する場合、そのような位置情報機能は強化される。しかし、ネットワークに接続したユーザが使用可能なデータに基づいてこのような位置情報機能を実行することも可能である。基地局の場所は通常ＷＴＲＵに知られていないので、基地局のパラメータをおおよその地理的座標にマッピングすることが必要であることが知られている。そのようなパラメータは、まれに変わることがあるが、セルの場所の位置情報に基づいて、マッピングを行うことができる。
【００１２】
特別なアプリケーションソフトウェアを備えたＷＴＲＵを使用し、位置情報用のシステムを分析することも可能である。これが好都合な点は、ＧＰＳまたは類似の地球上の位置を把握するシステムを使用することによって、ネットワークを基盤とする情報と関連を持たせることが可能になる点であり、ＧＰＳデータを受信しないＷＴＲＵを、対応ネットワークを基盤とする情報で探知することができる。
【００１３】
図１は、ユーザの機器と通信するさまざまなコンポーネント間のネットワーク接続を示す図である。「制御」サイト１４、および「被制御」または「応答」サイト１５が描かれている。特定の機器構成によって、制御サイト１４によって行われる、被制御サイトの統制の度合いを制限することができる。
【００１４】
制御サイト１４では、端末３１−３４は、ＰＣ３１、移動端末３２−３３、および専用の独立型警告監視機器３４を含む。これらの端末は、インターネット３７、無線通信ネットワーク３８、またはＰＳＴＮ３９と有線または無線接続で通信する。これらの端末が制御装置であると考えられているのは、被制御サイト１５にて、ＷＴＲＵ４１−４３を制御する要求を送信するために使用されるからである。制御サイトの機器は、単一の位置で描かれているが、制御する機器の接続は、制御する機器をどんな都合の良い場所でも位置づけることができるというものである。
【００１５】
応答機器が制御サイト１４によって遠隔制御されるとしても、被制御サイト１５は通常、機器のある場所にいるユーザによって直接操作される。その制御は、局所的に（locally）機器に作用する。被制御サイト１５は、無線通信ネットワークに無線通信接続するＷＴＲＵ４１−４３を含む。これらは、本発明が探知し続ける装置、または制限される装置である。被制御サイト１５の端末４１−４３を、上述したインターネット３７、無線通信ネットワーク３８、およびＰＳＴＮ３９などのホームネットワーク（home network）に接続可能であるということが知られている。場合によっては、無線通信ネットワーク３８にも接続する、ターミナルロケータデバイス４５、４６を使用することも可能である。無線通信ネットワーク３８は一体で記述されているが、別のネットワークを介して、ＳＭＳまたは使用される他の通信プロトコルの制限にしたがって、応答端末４１−４３のローミングを可能にすることも可能である。
【００１６】
応答端末４１−４３は、他の加入者のように無線通信ネットワークと情報をやりとりする。２種類の機器を示す。  
１）通常のＷＴＲＵ４１、４２
２）ある人またはあるものを探知する単一の、または追加の目的を有することが可能な特殊用途の「タグ」ＷＴＲＵ４３
【００１７】
図２は、本発明において使用されるＷＴＲＵ４１の例示的な機器構成を示す図である。ＷＴＲＵ４１は、ＲＦセクション７２および信号処理セクション７３を含む。ＷＴＲＵ４１を制御する要求に応答するために、信号処理セクション７３はまた機能し、命令を実行し、かつＲＦセクション７２を制御する。これらの機能は完全に別個の、または半分別個のコンポーネントを介して提供される可能性があり、または一個の、若しくは複合型の半導体集積回路（ＩＣ）チップに統合される可能性がある。その機能がＩＣチップに具体化された回路に内蔵されるため、ＩＣチップを使用することにより、製造は容易になる。
【００１８】
「タグ」ＷＴＲＵ４３は、他のＷＴＲＵのように無線通信ネットワークＩＤを有し、かつ無線インターフェース標準規格と一致して相互に作用する。ネットワークの操作者が、本発明のシステムによって使用される特定の機能を提供する場合、「タグ」ＷＴＲＵは、簡潔になるだろうが、システムはそのような機能を要求しない。
【００１９】
図３に示すように、「タグ」ＷＴＲＵ４３の機能を、「タグ」ＷＴＲＵ４３の機能のいくつか、または全てを統合するＩＣチップ８１を使用することによって、提供することができる。このことは、「タグ」ＷＴＲＵ４３の便利なパッケージングを可能にし、そのパッケージングは、電源８２、および電源スイッチ８３や意図的な放送識別のための「アイデント（ident）」スイッチ８４など他の制御機器を含む。「アイデント」スイッチ８４は、特定の識別を提供するために使用されることができ、または「パニック」スイッチの機能を提供することができる。
【００２０】
動作の際、被制御側のＷＴＲＵ４１−４３は、セルを登録し、かつセルに加入するたびに、アプリケーションソフトウェアは、プロトコルスタックから基地局のパラメータを抽出し、または提供される。被制御側のＷＴＲＵ４１−４３は、信号の品質、相対的な遅延時間、または信号の品質やセルからの距離を示すパラメータを測定するたびに、アプリケーションソフトウェアは、基地局のパラメータおよびプロトコルスタックからの測定値を抽出し、または提供される。被制御側のＷＴＲＵは、そのパラメータおよび測定値を、ホームサイトで端末に送信されるメッセージにカプセル化する。そのメッセージを定期的に送信することができ、またはＷＴＲＵは毎回新しいセルに加入する。ＷＴＲＵの位置が、著しく変わった場合、フィルタリングアルゴリズムを使用し、推測することができる。正しい位置の重大な変更が発生した場合、フィルタリングアルゴリズムが、数学的および論理的な動作の組み合わせを使用して測定値を処理し、結論を下すことができる。例えば、フィルタリングアルゴリズムは、最初のセル、参照セル、または使用可能なセル（serving cell）が変わった場合に、決定するのと同じくらい単純かもしれない。あるいは、フィルタリングアルゴリズムは、平均的な信号の品質、または遅延時間の測定値を形成することができ、横切る場合、正しい位置の重大な変更を示す閾値を設定することができる。上記の組み合わせを使うことができ、例えば、動作中の設定または隣接リストにおいて平均的な測定値をセルに関する情報と結びつけることができる。ホームサイトのアプリケーションソフトウェアは、パラメータを地理上の座標にマッピングする情報を含み、位置を推測するアルゴリズムを実装する。本発明の一実施形態によれば、被制御側のＷＴＲＵは設定されて、他の機器からの命令を受け、かつ応答するが、他の機器は、そのような命令を送信する特別のプログラムを含む必要はない。もちろん、通常の命令プロトコルと同様に、制御側のサイト１４で端末３１−３４から命令を出すことを促進するプログラムを提供することは可能である。
【００２１】
この処理を、メッセージが送信される前に、ＷＴＲＵで行うことができる。しかし、ＷＴＲＵのアプリケーションをできるだけ単純に保つため、制御サイトで処理を実装することが好ましいだろう。このことは、以下の種類のアプリケーションを可能にする。
ｉ）ホームサイトの端末は、遠隔のＷＴＲＵの移動をおおまかに探知できる。
ｉｉ）ホームサイトの端末は、遠隔のＷＴＲＵが指定された領域から移動する場合、警告を提供できる。
ｉｉｉ）ホームサイトの端末は、定期的なメッセージが遠隔のＷＴＲＵから受信されない場合、警告を提供できる。
ｉｖ）ホームサイトの端末は、メッセージを送信し、ＷＴＲＵ上のパラメータまたは処理を有効にすること／無効にすること／設定することができる。
【００２２】
図４は、メッセージシステムを使用する、本発明の制御機器の例示的な実施形態の動作を描くフロー図である。電話機の所有者は、制御メッセージを、制御側のユーザとして送信し（ステップ１０１）、ネットワークはその制御メッセージを受信する（ステップ１０２）。ネットワークのショートメッセージサービス（ＳＭＳ）プロトコルまたは他のメッセージ送信技術にしたがって、ネットワークは、その制御メッセージを応答ＷＴＲＵに送信しようと試みる（ステップ１０３）。
【００２３】
その制御メッセージを受信すると、応答ＷＴＲＵは、命令を呼び出すことによって、メッセージに埋め込まれた命令に応答する（ステップ１０８）。応答ＷＴＲＵがその制御メッセージを受信する場合、応答ＷＴＲＵは、ネットワークのショートメッセージサービス（ＳＭＳ）プロトコルや他のメッセージ送信技術１０９にしたがって、ＡＣＫを制御側のユーザに返信する（ステップ１０９）。制御側のユーザがＡＣＫを受信しない場合、処理が失敗して再度試行することができるということを推測できる。
【００２４】
応答ＷＴＲＵが命令を呼び出した後（ステップ１０８）、応答ＷＴＲＵは、応答ＷＴＲＵのローカルユーザに、遠隔プロシージャ呼出への応答を知らせる（ステップ１１２）。遠隔命令は、応答ＷＴＲＵのローカルユーザによる命令の、特定の場所での無効（ステップ１１６）が可能か否かに関する指示を含むことができ（ステップ１１５）、そのような特定の場所での無効のパスワードを使用することができる。少なくとも追加の制御命令を受け入れることが望まれている状況においては、制御機能の一つは、制御機能を達成するために使用される種類のメッセージの強制的な受信であるということが推測される。
【００２５】
制御側のユーザは、ＷＴＲＵの機能およびネットワークを使用し、ＷＴＲＵの位置または動作を監視することもできる。この場合、その制御は、ＷＴＲＵへの独立した要求に応えて、またはネットワークに問い合わせることによって、位置を受信すること、またはネットワークを介した動作信号から成る。
【００２６】
制限時の変更、または時間や位置など、ＷＴＲＵの他の制御を制御するために外部要因を提供することは可能である。制御側のユーザがＷＴＲＵを制御することは可能であり、例えば、応答ＷＴＲＵのローカルユーザからの通信を受信するとすぐ、制御側のユーザに状況の変更を知らせることが可能である。制御側のユーザによるその後の制御の場合には、プロシージャは、初期制御のものと同様なものになるだろう（ステップ１０１−１１６）。
【００２７】
応答ＷＴＲＵのローカルユーザが、動作の変更要求を開始すること（ステップ１２１）も可能であり、その要求は、制御側のユーザによって、受け入れられるか、または拒絶される。そのような処理において、応答ＷＴＲＵのローカルユーザは、例えば、無通話制限など制限の変更を決定し、かつ制限の変更を要求として入力する。その要求は制御側のユーザに送信され（ステップ１２２）、制御側のユーザはその変更を受け入れ、または拒絶することができ、それに対する応答を送信することができる（ステップ１２５）。変更の命令は、ＷＴＲＵによって保持されることができ、またはＷＴＲＵに送信することができる。しかし、その命令がＷＴＲＵによって保持される場合、制御側のユーザからの応答は、単なる「受け入れ、または拒絶」になりうる（ステップ１２５）。制御側のユーザは、その要求を拒絶するオプションも有し、その後の制限の変更を始める（例えば、要求された制限の変更の修正）。
【００２８】
代わりの方法として、ネットワークが制御メッセージを応答ＷＴＲＵ［０００１］に送信しようとした後、応答ＷＴＲＵはその制御メッセージを受信し、受信したことを確認するか、またはそのメッセージは、ＡＣＫなしで受信される。その制御メッセージがＡＣＫなしで受信される場合、ネットワークは、応答ＷＴＲＵが、推定されるメッセージの通信を使用して、ネットワークと通常の通信状態にあるのかどうかを確認することができる。
【００２９】
ＷＴＲＵの動作を変更する機能は、制御側のユーザとしての電話機の所有者による命令、またはパスワードの使用による応答ＷＴＲＵのローカルユーザによる命令を無効にすることを含むことができる。応答ＷＴＲＵのローカルユーザによる変更のパスワード制御は、制御側のユーザまたはローカルパスワードのものと合致する可能性があり、他の目的のために使用されるローカルパスワードと同じであるか、または異なる可能性がある。
【００３０】
本発明の他の実施形態によれば、応答ＷＴＲＵは、ＷＴＲＵが接続されているものは何でも探知し、または位置づける特別の目的を有する「タグ」として機能する。一実施形態において、タグＷＴＲＵは、非常に小さく、かつ少ない量の電力を消費するように設計されている。動作中の接続はないが、電源は入っている場合、ほとんどの携帯電話の機器は節電モード（sleep mode）に入り、ページングメッセージを探すために定期的に起動する。電力を節約するため、節電モードに入るたびにネットワークからＷＴＲＵの接続を効率的に切断する長期のＯＮ／ＯＦＦサイクルを提供することは適切だろう。この種の動作で、ＷＴＲＵはメッセージを受信することができるが、しかし、呼び出される能力、および着信電話に応答する能力を犠牲にする。そのようなタグＷＴＲＵの機能を制限することによって、大量のネットワークリソースを消費することなく、ネットワーク上のタグＷＴＲＵを動作させることは可能である。
【００３１】
タグシステムの動作は、次のとおりである。
１）タグＷＴＲＵは、電源が入る。
２）タグＷＴＲＵは、ネットワークとつながる。
３）タグＷＴＲＵは、着信メッセージを確認する。
４）タグＷＴＲＵは、そのメッセージによって指示される処理を実行する。
５）タグＷＴＲＵは、位置情報を抽出し、測定を行い、メッセージを送信する。
【００３２】
制御側のサイトの端末は、タグＷＴＲＵと情報をやり取りする。
【００３３】
タグＷＴＲＵへのメッセージにパラメータを適切に設定することによって、電池寿命を延長することができ（頻繁な使用ではない場合）、またはもっと正確なデータやもっと適時なデータを集めることができる（頻繁な使用の場合）。メッセージを受信しない場合、送信メッセージを送信し、タグＷＴＲＵの送信電力を上げることができる。
【００３４】
本発明の他の態様によれば、ターミナルロケータデバイスは、もっと正確な位置を提供する。上記の技術は非常に正確な位置機能を提供しないが、携帯電話システム用のもっと正確な位置情報サービスに必ずしも交換する必要はない。それにもかかわらず、他の正確な位置の特徴が使用できない場合、ＷＴＲＵに関する通常の位置情報を提供する要望があるだろう。１つの可能性は、特別のアプリケーションソフトウェアも実行する特別の機器を使用することである。ＷＴＲＵ、人、または取り付けられている機器が、正確に位置づけられる必要がある場合、ターミナルロケータデバイスは、追加の位置情報を提供する。
【００３５】
追加の位置情報が格別好都合な点は、いくつかのネットワーク位置情報システムによって提供される位置情報を保証することは常には可能ではないということにある。例えば、ＧＰＳデータを獲得することが難しいのは、ほとんどの囲われた領域はＧＰＳ信号のためのファラデーエンクロージャとして行動するからである。
【００３６】
ターミナルロケータデバイスは、端末として使用されるＷＴＲＵの機能を有し、またはＷＴＲＵに付属する周辺機器になることができる。ある機器構成において、ターミナルロケータデバイスは受信し、「直接検索」することができ、または基地局を表す信号を送信する他のＷＴＲＵを位置づけることができる。遠隔サイトの協調ＷＴＲＵは、自らの物理チャネルパラメータ（例えば、周波数、タイムスロット、時間オフセット、スクランブリングコード、チャネリゼーションコードなど）をターミナルロケータデバイスに、直接、ネットワーク上の別個のデバイスを使用し無線通信ネットワークを介して、または制御側のサイトを介して送信することができる。ターミナルロケータデバイスは、この情報を使用して直接検索機能を実行する。
【００３７】
さらに複雑な実装は複数の協調ターミナルロケータデバイスを使用し、さらに正確な位置についてのより広い基準を確立する。ターミナルロケータデバイスが、携帯電話のネットワークなどネットワーク通信を使用する以外は、これはロジャック（LoJack）ビークルロケータシステムに使用されるものなどのデバイスロケータに似ている。これは以下のとおり機能する。
１）制御側のサイトは、被制御側のサイトのＷＴＲＵ（またはタグＷＴＲＵ）が無くなったことを決定し、または位置づけられることを必要とする。
２）制御側のサイトは、メッセージを被制御側のサイトに送信し、制御側のサイトの物理チャネルパラメータを送信する。
３）被制御側のＷＴＲＵは、成功する位置に十分な、送信が定期的に発生するモードを入力する。すなわち、例えば、被制御側のＷＴＲＵは、ネットワークとの継続的な専用接続を要求する。
４）被制御側のＷＴＲＵは、専用接続の物理チャネルパラメータを含むメッセージを送信する。そのメッセージを、ターミナルロケータデバイスに直接送信することもでき、または制御側のサイトを介して送信することもできる。
５）制御側のサイトは、ターミナルロケータデバイスに大まかな位置情報を送信する。または、被制御側のＷＴＲＵは、メッセージを直接、ターミナルロケータデバイスに送信することができる。
６）ターミナルロケータデバイスは、大まかな情報、および被制御側のＷＴＲＵを位置づける物理チャネルパラメータを使用する。
７）ＷＴＲＵの物理チャネルが再設定された場合、追加のメッセージを送信する必要がある。
【００３８】
あるいは、被制御側のＷＴＲＵは、被制御側のＷＴＲＵが失われたかを自ら決定することができ、または被制御側のＷＴＲＵは、誰かが「パニックボタン」を押すことによって引き起こされる警告を送信することができる。
【００３９】
他の実施形態において、そのような遠隔命令を、他の遠隔命令機能のために使用することができる。その遠隔命令は、ホームターミナルを使用すること、または住宅の明かり、電気製品、空気調節装置の制御などの機能を実行するための端末を制御することを含む。
【００４０】
本発明の特徴および要素を、特定の組み合わせの最適な実施形態で説明したけれども、各特徴または要素を単独で（最適な実施形態の他の特徴および要素がない状態で）、または本発明の他の特徴および要素とともに、またはそれらをなしでさまざまな組み合わせで使用することができる。
【図面の簡単な説明】
【００４１】
【図１】ユーザの機器と通信するさまざまなコンポーネント間でのネットワーク接続を示す図である。
【図２】本発明により構築される、外部制御に応答するＷＴＲＵのブロック図である。
【図３】本発明の一形態による、トラッキング機能を提供するために使用される「タグ」の図である。
【図４】本発明の例示的な実施形態の動作を描くフロー図である。
【図１】
2007513576.tif 000003
【図２】
2007513576.tif 000004
【図３】
2007513576.tif 000005
【図４】
2007513576.tif 000006
【国際調査報告】
2007513576.tif 000007